(57)【要約】【課題】球技者にボール中心及び打撃面を意識させ易くすることで、目標方向へ打ち出し易くすることが可能な球技用透明ボールを提供する。【解決手段】球技用透明ボール１０は、中心部に配置された球状体１１と、球状体１１を外周側から覆い、球状体１１を視認できるように少なくとも一部が透明に形成されたカバー部材１２と、所定方向から見た際に中心を通る中心線又は中心線に対して平行な方向に沿って直線状に延在するように形成された視認可能な目印表示線１３と、を備える。例えば、目印表示線１３は、その目印表示線１３の延在方向に対して直交する方向に所定幅を有する帯状の線である。【選択図】図２
2018198639.tif 000002
【特許請求の範囲】
【請求項１】
中心部に配置された球状体と、
前記球状体を外周側から覆い、前記球状体を視認できるように少なくとも一部が透明に形成されたカバー部材と、
所定方向から見た際に中心を通る中心線又は前記中心線に対して平行な方向に沿って直線状に延在するように形成された視認可能な目印表示線と、
を備える、球技用透明ボール。
【請求項２】
前記目印表示線は、該目印表示線の延在方向に対して直交する方向に所定幅を有する帯状の線である、請求項１記載の球技用透明ボール。
【請求項３】
前記所定幅は、前記球状体の直径に比して小さい、請求項２記載の球技用透明ボール。
【請求項４】
前記目印表示線は、前記カバー部材の表面に描かれ、前記所定方向から見た場合に視認可能に現れる線である、請求項１乃至３の何れか一項記載の球技用透明ボール。
【請求項５】
前記カバー部材は、透明に形成された透明部と、前記透明部に隣接して配置され色付きに形成された色付部と、を有し、
前記目印表示線は、前記カバー部材の表面における前記透明部と前記色付部との境界に視認可能に現れる線である、請求項１記載の球技用透明ボール。
【発明の詳細な説明】
【技術分野】
【０００１】
本発明は、球技用透明ボールに関する。
【背景技術】
【０００２】
従来、競技や練習に用いられるボールが知られている（例えば、特許文献１参照）。特許文献１記載のボールは、透明に形成されており、中心部付近を外部から透かして視認されることが可能である。このボールは、内部にボールを運びたい目標方向を示す表示矢印及びボールを回転させたい方向を示す表示矢印を施したものである。
【先行技術文献】
【特許文献】
【０００３】
【特許文献１】特開２０１５−１５９８４８号公報
【発明の概要】
【発明が解決しようとする課題】
【０００４】
ところで、例えば、ゴルフ（尚、グラウンドゴルフやパターゴルフを含んでよい。）は、静止したゴルフボールを打撃具（具体的には、クラブやパター）を用いて打撃する球技である。一般に、ゴルフ球技者は、静止したゴルフボールを打撃具を用いて目標方向へ打ち出すうえで、打撃具をゴルフボールに対してその目標方向に合わせた方向へ打ち込んでその打撃具のフェース面をゴルフボールの所望打撃面に合わせて適切に当接させることが必要である。しかしながら、上記した特許文献１記載の如くボール内部に目標方向を示す表示矢印や目標回転方向を示す表示矢印が施されている場合、その表示は、ボールを目標方向へ運ぶうえでの指標とはなっても、球技者に打撃具のフェース面とボールの所望打撃面との関係を意識させるうえで不十分である。このため、球技者は、ボールを運びたい目標方向を意識することはできても、その目標方向にボールを運ぶために打撃具をどのようにボールの所望打撃面に打ち込めばよいかを意識し難い。
【０００５】
本発明は、上述の点に鑑みてなされたものであり、球技者にボール中心及び打撃面を意識させ易くすることで、目標方向へ打ち出し易くした球技用透明ボールを提供することを目的とする。
【課題を解決するための手段】
【０００６】
本発明の一態様は、中心部に配置された球状体と、前記球状体を外周側から覆い、前記球状体を視認できるように少なくとも一部が透明に形成されたカバー部材と、所定方向から見た際に中心を通る中心線又は前記中心線に対して平行な方向に沿って直線状に延在するように形成された視認可能な目印表示線と、を備える、球技用透明ボールである。
【０００７】
この構成によれば、球技用透明ボールを扱う球技者に、外部から透明のカバー部材を透過して、中心部に配置した球状体を視認させることができるので、その球技者に球技用透明ボールの中心を意識させ易くすることができる。また、球技用透明ボールの中心を通る中心線又はその中心線に対して平行な方向に沿って直線状に延在する目印表示線により、球技者に球技用透明ボールの打撃面を意識させ易くすることができる。従って、球技者にボール中心及び打撃面を意識させ易くすることで、球技用透明ボールを目標方向へ打ち出し易くすることができる。
【図面の簡単な説明】
【０００８】
【図１】本発明の一実施形態に係る球技用透明ボールの斜視図である。
【図２】本実施形態の球技用透明ボールを所定方向から見た際の平面図である。
【図３】本発明の第１変形形態に係る球技用透明ボールの斜視図である。
【図４】本発明の第２変形形態に係る球技用透明ボールの斜視図である。
【図５】本発明の第３変形形態に係る球技用透明ボールの斜視図である。
【図６】本発明の第４変形形態に係る球技用透明ボールの斜視図である。
【図７】本発明の第５変形形態に係る球技用透明ボールを所定方向から見た際の平面図である。
【図８】本発明の第６変形形態に係る球技用透明ボールを所定方向から見た際の平面図である。
【発明を実施するための形態】
【０００９】
以下、本発明の球技用透明ボールの具体的な実施形態について、図面を参照しつつ説明する。
【００１０】
（１．球技用透明ボールの構成）
本実施形態の球技用透明ボール１０は、例えばゴルフボールや野球用ボール，テニスボール，サッカーボール，バスケットボールなどであって、競技用や練習用に使用される球状ボールである。球技用透明ボール１０は、特に、競技時或いは練習時において静止した状態で道具を用いて面打撃されるボールに適用されることが望ましい。
【００１１】
球技用透明ボール１０は、図１に示す如く、球状体１１を備えている。球状体１１は、球技用透明ボール１０の中心部に配置される球体である。球状体１１は、球技用透明ボール１０の球技者（すなわち使用者）がその球技用透明ボール１０の外側から視認できるように非透明に形成されており、例えば、赤色や蛍光色などで彩色されている。球状体１１は、例えばコルクや合成樹脂，プラスティックなどの素材により形成されている。球状体１１は、例えば、ピンポン玉の如きプラスティック製素材により成形された中空構造体であってもよく、また、内部に空気を充填可能なゴム製チューブであってもよい。
【００１２】
球技用透明ボール１０は、カバー部材１２を備えている。カバー部材１２は、球状体１１を外周側から覆う部材である。カバー部材１２の外面は、球技用透明ボール１０の外面をなす球面である。カバー部材１２は、球技用透明ボール１０に要求される外径と略同じ外径を有している。カバー部材１２は、球技者が外部から内周側に隣接して配置された球状体１１を視認できるように略全域において透明又は半透明の材料により形成されている。カバー部材１２の材料は、例えば、アイオノマーなどの合成樹脂である。
【００１３】
球技用透明ボール１０は、目印表示線１３を備えている。目印表示線１３は、球技者が球技用透明ボール１０を扱ううえですなわち打ち込む或いは打撃するうえで目印となる線である。目印表示線１３は、図２に示す如く、球技者が球技用透明ボール１０を外部の所定方向から見た際にその球技用透明ボール１０の直径方向に沿ってすなわち球中心Ｏを投影した円中心を通って直線状に延在するように形成された中心線である。
【００１４】
球技用透明ボール１０は、球技者が例えばゴルフ用パターなどの打撃具２０を用いてその打撃面（フェース面）２１を目印表示線１３に平行に合わせてその球技用透明ボール１０を面打撃すれば、上記の所定方向から見た際の目印表示線１３の直径方向に延びて円中心を通る軸Ｌを回転軸として回転し、その打ち込み方向へ打ち出されて移動される。この点、目印表示線１３によれば、球技用透明ボール１０を目標方向へ運ぶために打撃具２０の打撃面２１をどのようにその球技用透明ボール１０の打撃面に当接させて打ち込めばよいかを、球技者に意識させ易くすることが可能である。
【００１５】
目印表示線１３は、上記所定方向から見た際の延在方向に対して直交する方向に所定幅Ｗを有するように帯状に形成されている。上記の所定幅Ｗは、球技者が打撃具２０を用いて打撃する際の一般的な姿勢でその球技用透明ボール１０を見た場合にその目印表示線１３を少なくとも視認できる程度の幅に設定されている。この所定幅Ｗは、球技者が目印表示線１３を上記の所定方向から見た場合に、中心部に配置された球状体１１の少なくとも一部（具体的には、上記の延在方向とは直交する方向の両端側）を視認できるように設定されている。すなわち、所定幅Ｗは、球状体１１の直径Ｒに比して小さい。
【００１６】
目印表示線１３は、図１及び図２に示す如く、カバー部材１２の表面にそのカバー部材１２の外径が最も大きい最大径外周位置で全周に亘って描かれることで形成されている。尚、この目印表示線１３は、透明のカバー部材１２とは別途にその表面に直接に塗料などで黒色や目立つ色などの彩色が施されたものであってもよいし、又は、カバー部材１２とは別体の彩色が施された帯状部材が接着或いは貼付されて接合されたものであってもよい。
【００１７】
（２．球技用透明ボールの使用方法）
球技用透明ボール１０は、上記の所定方向から見た際の目印表示線１３の直径方向に延びる軸Ｌがその球技用透明ボール１０を運びたい目標方向に対して直交して延在するように、セットされる。この球技用透明ボール１０のセットは、例えばゴルフボールの場合はティーグランドやグリーン上で球技者の手作業により行われる。かかるセットが行われれば、球技者がそのボール１０を打撃する姿勢で見た際に、目印表示線１３がそのボール１０の直径方向である軸Ｌに沿って直線状に延びるように視認可能に現れる。
【００１８】
球技用透明ボール１０が上記の如くセットされると、球技者は、その球技用透明ボール１０に対して打撃具２０を、その打撃面２１がその球技用透明ボール１０の目印表示線１３に平行となるようにセットする。そして、球技者は、その打撃具２０を用いてその球技用透明ボール１０を面打撃する。この面打撃が、打撃具２０の打撃面２１が目印表示線１３に対して平行に維持された状態で球技用透明ボール１０に当接するように行われると、その球技用透明ボール１０は、上記の目標方向へ運ばれる。
【００１９】
（３．球技用透明ボールの効果）
本実施形態の球技用透明ボール１０によれば、そのボール１０を扱う球技者に、外部から透明のカバー部材１２を透過して、中心部に配置した球状体１１を視認させることができる。このため、その球技者に球技用透明ボール１０の中心を意識させ易くすることができる。尚、球状体１１の直径Ｒは、目印表示線１３の所定幅Ｗに比して大きいので、球技用透明ボール１０の外表面に目印表示線１３が描かれていても、その球状体１１の視認は可能である。このため、上記した球技用透明ボール１０の中心について常に意識させ易くすることが可能である。
【００２０】
また、本実施形態の球技用透明ボール１０によれば、所定方向から見た際の目印表示線１３の直径方向に延びる軸Ｌがそのボール１０の目標方向に対して直交して延在するようにセットされた場合、球技者がそのボール１０を打撃する姿勢でそのボール１０を見た際に、その目印表示線１３により、その球技者に、打撃具２０の打撃面２１と目標方向に合わせたそのボール１０の所望打撃面との関係を意識させることができる。このため、その球技者に球技用透明ボール１０を目標方向へ打ち出すうえでその打撃面或いは打撃具２０の打撃面２１を意識させ易くすることができる。
【００２１】
従って、球技用透明ボール１０によれば、球技者にボール中心及び打撃面の双方を意識させ易くすることで、目標方向へ打ち出し易くなっている。
【００２２】
（４．変形形態）
ところで、上記の実施形態においては、球技者が球技用透明ボール１０を外部の所定方向から見た際にその球技用透明ボール１０の直径方向に沿って直線状に延在する目印表示線１３を、カバー部材１２の表面に最大径外周位置で全周に亘って描かれるものとしている。しかし、本発明はこれに限定されるものではない。例えば、その目印表示線１３を、図３に示す如く、所定厚さを有する環状かつ円盤状に形成された部材（以下、円盤部材と称す。）１００により現れるものとしてもよい。円盤部材１００は、外部からカバー部材１２を透過して視認可能となるように彩色などが施された部材である。この円盤部材１００は、球状体１１が嵌る中空穴１０１を有している。
【００２３】
上記の第１変形形態においては、例えば、カバー部材１２が二つの半球状のカバー部片１２ａ，１２ｂからなるものとし、円盤部材１００がそれらのカバー部片１２ａ，１２ｂにより挟持されるように配置されるものとすればよい。この第１変形形態においても、球技者が球技用透明ボール１０を外部の所定方向から見た際に、そのボール１０の直径方向に沿って直線状に延在する目印表示線１３を視認可能に形成することができる。
【００２４】
上記の第１変形形態においては、カバー部材１２と円盤部材１００とが別体で構成される。しかし、カバー部材１２は、透明性を有しつつ目印表示線１３に相当する部分だけ彩色等が施されることでその透明部とその目印表示線１３に相当する部位とが一体的に形成されるように成形されたものであってもよい。
【００２５】
また、球技者が球技用透明ボール１０を外部の所定方向から見た際にその球技用透明ボール１０の直径方向に沿って直線状に延在する目印表示線１３を、図４に示す如く、球中心Ｏを通る所定幅を有する棒状に形成された部材（以下、棒状部材と称す。）１１０により現れる線としてもよい。棒状部材１１０は、外部からカバー部材１２を透過して視認可能となるように彩色などが施された部材である。尚、球状体１１が半透明の材料により形成されていれば、棒状部材１１０は、カバー部材１２及び球状体１１の双方を透過して視認されることが可能となる。
【００２６】
この棒状部材１１０が設けられた第２変形形態においては、例えば、カバー部材１２及び球状体１１それぞれに直径方向に貫通する貫通穴を設け、上記の棒状部材１１０がそれらの貫通穴に挿入されるように配置されるものとすればよい。この第２変形形態においても、球技者が球技用透明ボール１０を外部の所定方向から見た際に、そのボール１０の直径方向に沿って直線状に延在する目印表示線１３を視認可能に形成することができる。
【００２７】
上記の第２変形形態においては、カバー部材１２と棒状部材１１０とが別体で構成される。しかし、カバー部材１２は、透明性を有しつつ目印表示線１３に相当する部分だけ彩色等が施されることでその透明部とその目印表示線１３に相当する部位とが一体的に形成されるように成形されたものであってもよい。
【００２８】
また、上記の実施形態においては、カバー部材１２の表面に最大径外周位置で全周に亘って描かれる目印表示線１３を、球技用透明ボール１０に一本だけ設けることとしている。しかし、本発明はこれに限定されるものではない。例えば、その目印表示線１３を球技用透明ボール１０に、図５に示す如く二本又は三本以上設けることとしてもよい。この第３変形形態において、目印表示線１３が二本設けられる場合は、それら二本の目印表示線１３ａ，１３ｂは、カバー部材１２の球中心Ｏを挟んだ二箇所それぞれの表面で、所定方向から見た際に互いに直交するように配置されていればよい。この第３変形形態によれば、球技用透明ボール１０に目印表示線１３が複数あるので、その球技用透明ボール１０を、その目印表示線１３の直径方向に延びる軸Ｌが目標方向に対して直交するようにセットするうえでの球技者の手間を省くことが可能となる。また、目印表示線１３が二本設けられている場合において、それら二本の目印表示線１３ａ，１３ｂが所定方向から見た際に互いに直交するように配置されていれば、一方の目印表示線１３がその軸Ｌが球技用透明ボール１０の目標方向に対して直交するようにセットされると、他方の目印表示線１３がその球技用透明ボール１０の目標方向に平行に延びるので、球技者にとって打撃具２０の打撃面２１とそのボール１０の所望打撃面との関係を意識させると同時に、そのボール１０の目標方向を意識させることができる。
【００２９】
同様に、上記の第２変形形態においては、棒状部材１１０により現される目印表示線１３を、球技用透明ボール１０に一本だけ設けることとしている。しかし、例えば、その目印表示線１３を球技用透明ボール１０に、二本、図６に示す如く三本、又は四本以上の棒状部材１１０を用いて設けることとしてもよい。この第４変形形態において、目印表示線１３が三本設けられる場合は、三本の棒状部材１１０ａ，１１０ｂ，１１０ｃは、球技用透明ボール１０の球中心Ｏで互いに直交して交わるように配置されていればよい。この第４変形形態においても、球技用透明ボール１０に目印表示線１３が複数あるので、その球技用透明ボール１０を、その目印表示線１３の直径方向に延びる軸Ｌが目標方向に対して直交するようにセットするうえでの球技者の手間を省くことが可能となる。
【００３０】
また、上記の実施形態においては、カバー部材１２が略全域で透明に形成されており、そのカバー部材１２の表面に、視認可能な彩色などが施された目印表示線１３が帯状に形成されることとしている。しかし、本発明はこれに限定されるものではない。カバー部材１２は、球状体１１の少なくとも一部を視認できるように少なくとも一部が透明に形成されていればよい。例えば図７に示す如く、カバー部材１２が二つの半球状のカバー部片１２０ａ，１２０ｂからなるものとし、これらのカバー部片１２０ａ，１２０ｂのうちの一方であるカバー部片１２０ａが内部の球状体１１を視認できるように透明又は半透明の材料により形成された透明部であり、かつ、他方であるカバー部片１２０ｂがカバー部片１２０ａに隣接して配置され、そのカバー部片１２０ａと明確に区別して視認できる色付きの材料により形成された色付部であることとしてもよい。この第５変形形態においては、カバー部片１２０ａ，１２０ｂ同士が接合されることによりカバー部材１２が構成されると、カバー部片１２０ａとカバー部片１２０ｂとの境界部分である接合面に直径方向に直線状に延びる境界線が現れるので、この境界線を目印表示線１３として用いることとすれば、上記した目印表示線１３の機能を確保することができる。
【００３１】
また、上記の実施形態においては、目印表示線１３が、カバー部材１２の表面に最大径外周位置で全周に亘って描かれるものとしている。しかし、本発明はこれに限定されるものではない。例えば、その目印表示線１３を、図８に示す如く、球状体１１の表面に外径が最も大きい最大径外周位置で全周に亘って描かれるものとしてもよい。この第６変形形態において、目印表示線１３は、球状の球状体１１とは別途にその表面に直接に塗料などで黒色や目立つ色などの彩色が施されたものであってもよいし、又は、球状体１１とは別体の彩色が施された帯状部材が接着或いは貼付されて接合されたものであってもよい。
【００３２】
また、上記の第６変形形態においては、その目印表示線１３を、所定厚さを有する円盤状に形成された円盤部材により現れるものとしてもよい。この円盤部材は、外部からカバー部材１２を透過して視認可能となるように少なくとも厚さ部分の外周面に彩色が施された部材である。尚、この変形形態においては、球状体１１が二つの半球状の半球片からなるものとし、その円盤部材がそれらの半球片により挟持されるように配置されるものとすればよい。この変形形態においても、球技者が球技用透明ボール１０を外部の所定方向から見た際に、そのボール１０の直径方向に沿って直線状に延在する目印表示線１３を視認可能に形成することができる。
【００３３】
上記の変形形態においては、球状体１１と円盤部材とが別体で構成される。しかし、球状体１１は、目印表示線１３に相当する部分だけ彩色等が施されることで目印表示線１３に相当する部位とその他の部位とが一体的に形成されるように成形されたものであってもよい。
【００３４】
また、目印表示線１３を、球状体１１とは別の部材や塗料などを用いて形成することとしている。しかし、本発明はこれに限定されるものではない。例えば、球状体１１を二つの半球状の半球部材からなるものとし、これらの半球部材に互いに外部から明確に区別して視認できるように色相の異なる彩色を施し、この色相の異なる彩色の境界線を目印表示線１３とすることとしてもよい。これらの半球部材同士が接合されることにより球状体１１が構成されると、両半球部材の境界部分である接合面にその直径方向に直線状に延びる境界線が現れるので、この境界線を目印表示線１３として用いることとすれば、上記した目印表示線１３の機能を確保することができる。
【００３５】
尚、上記した球状体１１の両半球部材の境界近傍の外周面それぞれに同じ色彩（但し、半球部材自体との色相の差が顕著に現れるものであることが望ましい。）を付すことで、所定幅を有する帯状の目印表示線１３を形成することとしてもよい。この構成によれば、両半球部材の境界近傍に現れる目印表示線１３が帯状の強調した状態で視認可能に形成されるので、その目印表示線１３の視認性を向上させることが可能となる。
【００３６】
また、上記の実施形態や変形形態においては、目印表示線１３を、カバー部材１２の表面又は球状体１１の表面などにその外径が最も大きい最大径外周位置で全周に亘って描かれるように形成することとしている。すなわち、目印表示線１３を、所定方向から見た際に中心を通る中心線に沿って延在するように形成することとしている。しかし、本発明はこれに限定されるものではない。その目印表示線１３を、その最大径外周位置からずれた位置で、円中心を通ることなく上記の中心線に対して平行な方向に沿って直線状に延在するように形成することとしてもよい。
【００３７】
尚、本発明は、上述した実施形態や変形形態に限定されるものではなく、本発明の趣旨を逸脱しない範囲で種々の変更を施すことが可能である。
【符号の説明】
【００３８】
１０  球技用透明ボール
１１  球状体
１２  カバー部材
１２ａ，１２ｂ，１２０ａ，１２０ｂ  カバー部片
１３  目印表示線
２０  打撃具
２１  打撃面（打撃具側）
【図１】
2018198639.tif 000003
【図２】
2018198639.tif 000004
【図３】
2018198639.tif 000005
【図４】
2018198639.tif 000006
【図５】
2018198639.tif 000007
【図６】
2018198639.tif 000008
【図７】
2018198639.tif 000009
【図８】
2018198639.tif 000010
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
中心部に配置された球状体と、
前記球状体を外周側から覆い、前記球状体を視認できるように少なくとも一部が透明に形成されたカバー部材と、
所定方向から見た際に中心を通る中心線又は前記中心線に対して平行な方向に沿って直線状に延在するように形成された視認可能な目印表示線と、
を備え、
前記カバー部材は、二つの半球状のカバー部片からなり、
前記目印表示線は、二つの前記カバー部片の間に形成されている、球技用透明ボール。
【請求項２】
二つの前記カバー部片に挟持されるように配置される、前記球状体が嵌る中空穴を有する円盤部材を備え、
前記目印表示線は、前記円盤部材の径方向外側端面により現される、請求項１記載の球技用透明ボール。
【請求項３】
前記円盤部材は、少なくとも径方向外側端面に彩色が施された部材である、請求項２記載の球技用透明ボール。
【請求項４】
前記目印表示線は、前記球状体の直径に比して小さい所定幅を有するように帯状に形成されている、請求項１乃至３の何れか一項記載の球技用透明ボール。
【請求項５】
二つの前記カバー部片のうち一方の前記カバー部片は、前記球状体を視認できるように透明に形成され、
二つの前記カバー部片のうち他方の前記カバー部片は、色付きに形成され、
前記目印表示線は、前記一方の前記カバー部片と前記他方の前記カバー部片との境界部分に視認可能に現れる線である、請求項１記載の球技用透明ボール。
【手続補正２】
【補正対象書類名】明細書
【補正対象項目名】０００６
【補正方法】変更
【補正の内容】
【０００６】
本発明の一態様は、中心部に配置された球状体と、前記球状体を外周側から覆い、前記球状体を視認できるように少なくとも一部が透明に形成されたカバー部材と、所定方向から見た際に中心を通る中心線又は前記中心線に対して平行な方向に沿って直線状に延在するように形成された視認可能な目印表示線と、を備え、前記カバー部材は、二つの半球状のカバー部片からなり、前記目印表示線は、二つの前記カバー部片の間に形成されている、球技用透明ボールである。